(57)【要約】【課題】好適な撮影が可能なレンズフード等を提供する。【解決手段】  Ｌａｂ表色系における明度Ｌが４０未満であって、波長９００ｎｍ以上１７００ｎｍ未満の光の反射率が３０％以上となる反射層（１４）を含むことを特徴とするレンズフード。【選択図】図２Ｂ
2010160416.tif 000002
【特許請求の範囲】
【請求項１】
Ｌａｂ表色系における明度Ｌが４０未満であって、波長９００ｎｍ以上１７００ｎｍ未満の光の反射率が３０％以上となる反射層を含むことを特徴とするレンズフード。
【請求項２】
Ｌａｂ表色系における明度Ｌが４０以上７０未満であって、波長９００ｎｍ以上１７００ｎｍ未満の光の反射率が５０％以上となる反射層を含むことを特徴とするレンズフード。
【請求項３】
Ｌａｂ表色系における明度Ｌが７０以上であって、波長９００ｎｍ以上１７００ｎｍ未満の光の反射率が７０％以上となる反射層を含むことを特徴とするレンズフード。
【請求項４】
請求項１から請求項３の何れか１項に記載されたレンズフードであって、
前記反射層よりも光が通過可能な光通過領域側に備えられ前記反射層よりも断熱性が高い断熱層を有することを特徴とするレンズフード。
【請求項５】
請求項４に記載されたレンズフードであって、
前記断熱層よりも前記光通過領域側に備えられ前記断熱層よりも剛性が高い剛体層を有することを特徴とするレンズフード。
【請求項６】
請求項４に記載されたレンズフードであって、
前記反射層と前記断熱層との間に備えられ前記断熱層よりも剛性が高い剛体層を有することを特徴とするレンズフード。
【請求項７】
請求項４から請求項６までの何れか１項に記載されたレンズフードであって、
前記反射層は、前記光通過領域を通過する光の射出方向側の部分に備えられていることを特徴とするレンズフード。
【請求項８】
請求項４から請求項６までの何れか１項に記載されたレンズフードであって、
前記反射層は、前記光通過領域を通過する光の入射方向側の部分に備えられていることを特徴とするレンズフード。
【請求項９】
請求項１から請求項８までの何れか１項に記載されたレンズフードであって、
前記反射層よりも断熱性が高く光学系を保持するレンズ鏡筒に接続可能な接続部を有することを特徴とするレンズフード。
【請求項１０】
請求項１から請求項９までの何れか１項に記載されたレンズフードと、
前記レンズフードに接続可能なレンズ鏡筒とを含むことを特徴とする光学機器。
【発明の詳細な説明】
【技術分野】
【０００１】
本発明は、レンズフードおよび光学機器に関する。
【背景技術】
【０００２】
カメラ等の光学機器による撮影において、撮影視野の外から余分な光がレンズに入射することを防ぐために、レンズ鏡筒の先端にレンズフードを取り付けて撮影を行うことがある。しかし、例えば太陽光のような赤外線を含む光線を多量に照射される環境下で使用される場合、照射熱によってレンズフードの温度が上昇する場合がある。この際、レンズフードの熱がレンズ鏡筒に伝わることによって、レンズ鏡筒の外装および内蔵部品の温度が過度に上昇する現象が起こり、問題となっていた。
【０００３】
レンズ鏡筒等の温度上昇を防止するための従来技術として、例えば筐体の表面に可逆感温変色層を備えた光学装置が知られている（特許文献１等参照）。しかし、従来技術に係る光学装置は、照射熱による光学装置の温度上昇を十分に抑制することができず、特に濃色の外装の場合に温度上昇を抑制することはできなかった。
【先行技術文献】
【特許文献】
【０００４】
【特許文献１】特開２００７−４９３７０号公報
【発明の概要】
【発明が解決しようとする課題】
【０００５】
本発明は、このような実状に鑑みてなされ、その目的は、好適な撮影が可能なレンズフードおよびこのようなレンズフードを備えた光学機器を提供することである。
【課題を解決するための手段】
【０００６】
上記目的を達成するために、本発明に係るレンズフードは、
Ｌａｂ表色系における明度Ｌが４０未満であって、波長９００ｎｍ以上１７００ｎｍ未満の光の反射率が３０％以上となる反射層（１４，１４−１）を含むことを特徴とする。
【０００７】
また、本発明の第２の観点に係るレンズフードは、
Ｌａｂ表色系における明度Ｌが４０以上７０未満であって、波長９００ｎｍ以上１７００ｎｍ未満の光の反射率が５０％以上となる反射層（１４，１４−２）を含むことを特徴とする。
【０００８】
また、本発明の第３の観点に係るレンズフードは、
Ｌａｂ表色系における明度Ｌが７０以上であって、波長９００ｎｍ以上１７００ｎｍ未満の光の反射率が７０％以上となる反射層（１４，１４−３）を含むことを特徴とする。
【０００９】
また、例えば、本発明に係るレンズフードは、前記反射層よりも光が通過可能な光通過領域側（５０）に備えられ前記反射層よりも断熱性が高い断熱層（４２）を有してもよい。
【００１０】
また、例えば、本発明に係るレンズフードは、前記断熱層よりも前記光通過領域側に備えられ前記断熱層よりも剛性が高い剛体層（２４）を有してもよい。
【００１１】
また、例えば、本発明に係るレンズフードは、前記反射層と前記断熱層との間に備えられ前記断熱層よりも剛性が高い剛体層を有してもよい。
【００１２】
また、例えば、前記反射層は、前記光通過領域を通過する光の射出方向側の部分に備えられてもよい。
【００１３】
また、例えば、前記反射層は、前記光通過領域を通過する光の入射方向側の部分に備えられてもよい。
【００１４】
また、例えば、前記反射層よりも断熱性が高く光学系を保持するレンズ鏡筒に接続可能な接続部（１６）を有してもよい。
【００１５】
また、本発明に係る光学機器は、上記いずれかのレンズフード（１２，３２，６２）と、前記レンズフードに接続可能なレンズ鏡筒（１０）とを含む。
【００１６】
なお上述の説明では、本発明をわかりやすく説明するために実施形態を示す図面の符号に対応づけて説明したが、本発明は、これに限定されるものでない。後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【図面の簡単な説明】
【００１７】
【図１】図１は、本発明の第１実施形態に係るレンズフードおよびレンズフードが取り付けられるレンズ鏡筒本体部の外観図である。
【図２Ａ】図２Ａは、図１に示すレンズフードの全体図である。
【図２Ｂ】図２Ｂは、図２Ａに示すレンズフードのレンズフード中心軸を通る断面による部分断面図である。
【図２Ｃ】図２Ｃは、図２Ａに示すレンズフードのレンズフード中心軸に直交する断面による部分断面図である。
【図３Ａ】図３Ａは、本発明の第２実施形態に係るレンズフードの外観図である。
【図３Ｂ】図３Ｂは、図３Ａに示すレンズフードのレンズフード中心軸を通る断面による部分断面図である。
【図４Ａ】図４Ａは、本発明の第３実施形態に係るレンズフードの外観図である。
【図４Ｂ】図４Ｂは、図４Ａに示すレンズフードのレンズフード中心軸を通る断面による部分断面図である。
【図５Ａ】図５Ａは、第１実施形態に係るレンズフードの表面付近を表す拡大断面図である。
【図５Ｂ】図５Ｂは、第２実施形態に係るレンズフードの表面付近を表す拡大断面図である。
【図５Ｃ】図５Ｃは、第２実施形態の変形例に係るレンズフードの表面付近を表す拡大断面図である。
【図６】図６は、反射層等に光が照射された場合の照射光波長と反射率との関係を示す図である。
【発明を実施するための形態】
【００１８】
第１実施形態
図１は、本発明の第１実施形態に係るレンズフード１２と、レンズフード１２が取り付けられるレンズ鏡筒１０の外観図である。本実施形態に係るレンズフード１２は、無底の筒状形状を有する。レンズフード１２の内部には、レンズ鏡筒１０へ向かう光が通過可能な光通過領域５０が形成されている。本発明に係るレンズフードの形状は特に限定されず、円筒形状、部分円錐形状、花型形状等、どのような形状のレンズフードであってもよい。
【００１９】
レンズフード１２は、光通過領域５０を通過する光の入射方向側の端部である入射側端部１２ａと、光通過領域５０を通過する光の射出方向側の端部である射出側端部１２ｂとを有する。レンズフード１２は、レンズフード１２の射出側端部１２ｂを、レンズ鏡筒１０の被写体側端部１０ａに取り付けることによって、レンズ鏡筒１０に対して着脱自在にあるいは着脱不可に装着される。なお、本発明に係るレンズフードは、レンズ交換式カメラ用のレンズ鏡筒１０に取り付けられるものに限られない。例えば、レンズ一体型カメラ、ビデオカメラ、望遠鏡、双眼鏡等に備えられるレンズフードも、本発明に係るレンズフードに含まれる。
【００２０】
レンズ鏡筒１０は、筒状形状を有する筐体部８０を有している。また、レンズ鏡筒１０は、筐体部８０の内部に、レンズフード１２から射出された光を通過させる光路９０を有しており、光路９０には光学レンズ群１１が備えられている。光学レンズ群１１は、レンズ鏡筒１０の一方の端部である被写体側端部１０ａから入射した光を、レンズ鏡筒１０の他方の端部である撮像面側端部１０ｂから出射することができる。
【００２１】
レンズ鏡筒１０の外周を形成する筐体部８０には、不図示のカメラ本体部を取り付けることができる。カメラ本体部は、筐体部８０の撮像面側端部１０ｂに取り付けられる。カメラ本体部は、レンズ鏡筒１０に備えられる光学レンズ群１１によって形成される光の像を記録する記録媒体等を有する。
【００２２】
図２Ａは、図１に示すレンズフード１２の全体図である。レンズフード１２は、筒状部１８とジョイント１６とを有する。筒状部１８は、中心軸αを中心軸とする無底の略円筒形状を有する。中心軸αは、レンズフード１２をレンズ鏡筒１０（図１）に取り付けた状態において、レンズ鏡筒１０に備えられる光学レンズ群１１の光軸の延長線と略一致する。
【００２３】
ジョイント１６は、レンズフード１２における射出側端部１２ｂの近傍に備えられる。本実施形態に係るジョイント１６は、略リング形状を有している。ジョイント１６の外周面は、レンズフード１２の内周面と略一致する曲率を有している。ジョイント１６は、筒状部１８の内周面に固定されている。ジョイント１６の外周面は、例えば接着によって、筒状部１８の内周面に固定される。
【００２４】
図２Ｂは、図２Ａに示すレンズフード１２の中心軸αを通る断面による部分断面図である。図２Ａおよび図２Ｂに示すように、筒状部１８は、筒状部１８の外周面に配置される反射層１４と、反射層１４よりも光通過領域５０側に配置される基材部２４とを有する。筒状部１８の内周面側に配置される基材部２４は、反射層１４より剛性が高く、筒状部１８の構造材の役割を有する。基材部２４は、カーボン材料、樹脂材料、金属材料等の剛性の高い材料を用いて形成されることが好ましい。また、基材部２４は、レンズフード１２の軽量化の観点から、カーボン材料で作成されることが特に好ましい。
【００２５】
筒状部１８の反射層１４は、例えば、図５Ａに示すように、赤外線（波長９００ｎｍ以上１７００ｎｍ未満の光）の反射率が高い顔料１５を含む塗膜によって構成される。本実施形態に係る反射層１４は、赤外線の反射率が高い顔料１５を含む塗料を、基材部２４の表面に塗布することによって形成されている。
【００２６】
ジョイント１６は、図２Ｂに示すように、２層構造を有している。すなわち、ジョイント１６は、ジョイント１６の外周側の部分を構成する中継部２２と、ジョイント１６の内周側の部分を構成する表面部２０とを有する。
【００２７】
中継部２２は、略リング状の形状を有しており、筒状部１８の基材部２４に対して接合されている。中継部２２は、筒状部１８における基材部２４と、ジョイント１６における表面部２０とを接続している。中継部２２は、筒状部１８を構成する反射層１４や基材部２４に比べて、断熱性が高い材料によって形成されている。中継部２２は、例えば、ポリスチレン、ポリエチレン、ポリウレタン、フェノール樹脂等を用いて形成される。
【００２８】
中継部２２は、筒状部１８を構成する反射層１４や基材部２４に比べて、断熱性が高いため、筒状部１８の温度が上昇した場合であっても、レンズフード１２からレンズ鏡筒１０へ熱が伝わるのを防止することができる。したがって、レンズ鏡筒１０に内蔵されるレンズ等の光学部品や電子部品等が、太陽光等からの照射熱によって過度に温度上昇することを防止できる。
【００２９】
表面部２０は、中継部２２の内周面に接合されており、図１に示すレンズ鏡筒１０に係合可能な突起等を有している。表面部２０は、レンズフード１２をレンズ鏡筒１０に対して脱着する際に起こるジョイント１６の摩耗を防止するため、金属や硬度の高い樹脂等を用いて形成されることが好ましい。なお、レンズフード１２のレンズ鏡筒１０に対する取り付け方式は特に限定されず、ねじこみ式、バヨネット式等、いずれの取り付け方式であっても良い。
【００３０】
本実施形態に係るレンズフード１２は、特に筒状部１８に備えられる反射層１４と、ジョイント１６に備えられる中継部２２によって、レンズフード１２からレンズ鏡筒１０に熱が伝達する現象を抑制する。レンズフード１２の中心軸αに直交する断面による部分断面図２Ｃに示すように、レンズフード１２の外周面には、反射層１４が形成されており、反射層１４によってレンズフード１２に照射される赤外線を反射するため、筒状部１８の基材部２４等の温度上昇が抑制される。
【００３１】
また、中継部２２は、基材部２４または反射層１４より高い断熱性を有しているため、基材部２４等の熱が、ジョイント１６を経由してレンズ鏡筒１０に伝わることを防止できる。したがって、本実施形態に係るレンズフード１２は、レンズフード１２から伝達された熱によって、レンズ鏡筒１０の外装および内蔵部品の温度が過度に上昇する現象を、効果的に防止することができる。
【００３２】
反射層１４は、赤外線の反射率を高めるために、Ｓｉ，Ａｌ，Ｔｉ，Ｆｅ，Ｚｎ，Ｃｏ，Ｍｇ，Ｃａ，Ｓｒ，Ｂａ，Ｃｕのうちから選択された少なくとも１つの元素を含有することが好ましい。また、反射層１４に含まれる顔料１５（図５Ａ）が、Ｓｉ，Ａｌ，Ｔｉ，Ｆｅ，Ｚｎ，Ｃｏ，Ｍｇ，Ｃａ，Ｓｒ，Ｂａ，Ｃｕのうちから選択された少なくとも１つの元素を含むことが、赤外線の反射率を高めるために好ましい。
【００３３】
また、図５Ａに示すように、顔料１５は、赤外線を効率的に反射するために、板状もしくは箱形状の形状を有することが好ましい。反射層１４は、顔料１５を含むことによって、例えば一般的に赤外線を反射しにくい明度の低い色であっても、赤外線に対して高い反射率を有する。なお、反射層１４は、赤外線を効率的に反射する顔料１５の他に、反射層１４の色を変えるための他の顔料または染料を含んでいてもよい。これによって、反射層１４の赤外線反射率を高めつつ、反射層１４の色を任意の色とすることができる。
【００３４】
反射層１４は、物体に熱エネルギーを与える光を反射する反射率が、一般的な他の塗膜層等であって明度が反射層１４と同等であるものに比べて高い。例えば、反射層１４は、そのＬａｂ表色系における明度Ｌが４０未満である場合は、波長９００ｎｍ以上１７００ｎｍ未満の光の反射率が３０％以上である。
【００３５】
また、例えば、反射層１４は、そのＬａｂ表色系における明度Ｌが４０以上７０未満である場合は、波長９００ｎｍ以上１７００ｎｍ未満の光の反射率が５０％以上である。また、例えば、反射層１４は、そのＬａｂ表色系における明度Ｌが７０以上である場合は、波長９００ｎｍ以上１７００ｎｍ未満の光の反射率が７０％以上である。
【００３６】
図６は、反射層１４の具体例である反射層１４−１〜１４−４と、一般的な他の塗膜層等で構成される低反射層１３について、各層に照射される光の波長である照射光波長と、反射率との関係を示す図である。
【００３７】
図６において、反射層１４−１は、可視光（波長４００ｎｍ以上８００ｎｍ以下）の反射率が約１０％であり、黒色に近い色に見える塗膜等によって構成される反射層である。反射層１４−２は、可視光の反射率が約２５％であり、灰色に見える塗膜等によって構成される反射層である。反射層１４−３は、可視光の反射率が約６５％であり、白色に近い色に見える塗膜等で構成される反射層である。
【００３８】
赤外線の波長領域（波長９００ｎｍ以上１７００ｎｍ未満）において、反射層１４−１は、光の反射率が３０％以上（約４５％）であり、反射層１４−２は、光の反射率が５０％以上（約６０％）であり、反射層１４−３は、光の反射率が７０％以上（約８５％）であり、いずれも赤外線の反射率が高められている反射層である。
【００３９】
また、反射層１４−４も、可視光の反射率が１０％であり、赤外線の平均反射率が３０％以上（約３５％）であり、物体に熱エネルギーを与える光を反射する反射率が高められている反射層である。平均反射率は以下の数式１により計算することができる。
【００４０】
【数１】
2010160416.tif 000003
【００４１】
数式１において、Ｒλ（ｉ）は各波長λ（ｉ）の光の反射率、λ（ｉ）はλ（１）＝９００，λ（２）＝９１０，λ（３）＝９２０，・・・λ（ｎ）＝１７００ｎｍとする。
【００４２】
反射層１４は、図６に示す反射層１４−１〜１４−４に限定されるものではなく、Ｌａｂ表色系における明度Ｌが４０未満であって波長９００ｎｍ以上１７００ｎｍ未満の光の反射率が３０％以上であるか、Ｌａｂ表色系における明度Ｌが４０以上７０未満であって波長９００ｎｍ以上１７００ｎｍ未満の光の反射率が５０％以上であるか、Ｌａｂ表色系における明度Ｌが７０以上であって波長９００ｎｍ以上１７００ｎｍ未満の光の反射率が７０％以上であればよい。
【００４３】
また、反射層１４は、赤外線（波長９００ｎｍ以上１７００ｎｍ未満の光）の平均反射率が、可視光（波長４００ｎｍ以上８００ｎｍ以下）の反射率よりも高いことが好ましい。反射層１４は、赤外線の波長領域の全域において反射率が高いことがさらに好ましいが、赤外線の波長領域の一部において反射率が低くても、赤外線の平均反射率が高ければ良い。
【００４４】
例えば、反射層１４は、赤外線（波長９００ｎｍ以上１７００ｎｍ未満の光）の平均反射率が、可視光（波長４００ｎｍ以上８００ｎｍ以下の光）の平均反射率よりも１０％以上高いことが好ましい。また、例えば、反射層１４は、赤外線の平均反射率が、可視光の平均反射率よりも２０％以上高いことが更に好ましい。
【００４５】
なお、図１０に示す低反射層１３は、可視光の平均反射率が１０％であり、赤外線の平均反射率が３０％未満（約１０％）であり、反射層ではない黒色系の塗膜層である。
【００４６】
可視光の波長領域（波長４００ｎｍ以上８００ｎｍ以下）において、反射層１４−１と低反射層１３とは、ほぼ同じ反射率（約１０％）であるが、赤外線の波長領域（波長９００ｎｍ以上１７００ｎｍ未満）において、反射層１４−１の反射率（約４５％）は、低反射層１３の反射率（約１０％）の約４．５倍になっている。
【００４７】
このため、図２Ａに示すように、反射層１４が基材部２４の外周面に形成されたレンズフード１２は、低反射層１３が表面に形成されたレンズフードと比較して、外見が似ている場合であっても、光を照射された際の温度上昇が少ない。一例として、反射層１４−１を備えるレンズフードと、低反射層１３を備えるレンズフードを比較すると、いずれのレンズフードも黒色に近い色に見える。しかし、反射層１４−１を備えるレンズフードは、例えば、炎天下（太陽光が多く照射される状態）で使用されても、赤外光の反射率が高いので、低反射層１３が備えられるレンズフードよりも温度上昇が抑えられる。
【００４８】
このように、図１に示す反射層１４は、物体に照射された場合に熱エネルギーに変換される光を反射する反射率が高い。したがって、本実施形態に係るレンズフード１２では、例えば太陽光が多量に照射される環境下で用いられた場合でも、レンズフード１２の温度上昇が抑制される。また、レンズフード１２は、レンズフード１２自体が温度上昇しにくいため、レンズフード１２を備えるレンズ鏡筒１０が、レンズフード１２から伝達される熱によって温度上昇を起こす現象を抑制することができる。
【００４９】
さらに、ジョイント１６の中継部２２は、基材部２４または反射層１４より高い断熱性を有しているため、日射等によって筒状部１８の温度が上昇した場合であっても、筒状部１８の熱が、ジョイント１６を経由してレンズ鏡筒１０に伝わることを防止できる。したがって、本実施形態に係るレンズフード１２は、レンズフード１２から伝達された熱によって、レンズ鏡筒１０の外装および内蔵部品の温度が過度に上昇する現象を、効果的に防止することができる。
【００５０】
なお、本実施形態に係るレンズフード１２における基材部２４は、特に限定されないが、炭素繊維強化炭素複合材料のように、カーボンを含む材料とすることが好ましい。基材部２４を、カーボンを含有する材料によって作成することによって、軽量であって、かつ、温度上昇しにくいレンズフード１２を得ることができる。
【００５１】
第２実施形態
図３Ａは、本発明の第２実施形態に係るレンズフード３２の外観図である。第２実施形態に係るレンズフード３２は、第１実施形態に係るレンズフード１２と同様に、筒状部３８とジョイント３６を有する。レンズフード３２は、筒状部３８が断熱層４２を有し、ジョイント３６が表面部２０からなる１層構造を有している他は、第１実施形態に係るレンズフード１２と同様である。
【００５２】
図３Ｂに示すように、第２実施形態に係るレンズフード３２における筒状部３８は、３層構造を有する。すなわち、筒状部３８は、筒状部３８の外周面に配置される反射層１４と、反射層１４よりも光通過領域５０側に備えられる断熱層４２と、反射層１４と断熱層４２との間に備えられる基材部２４とを有する。断熱層４２は、反射層１４または基材部２４より断熱性が高く、基材部２４の熱がジョイント３６に伝わることを抑制できる。
【００５３】
図５Ｂは、第２実施形態に係るレンズフード３２の外周表面付近を表す拡大断面図である。レンズフード３２の筒状部３８において、断熱層４６は、基材部２４の内周面側に配置されている。断熱層４６は、例えば、中空粒子４３を含む塗膜によって構成される。本実施形態に係る断熱層４６は、セラミックバルーンから成る中空粒子４３を含む塗料を、基材部２４の表面に塗布することによって形成されている。なお、反射層１４および基材部２４については、第１実施形態に係るレンズフード１２における反射層１４および基材部２４（図５Ａ等参照）と同様である。また、断熱層４６は、例えば、ポリスチレン、ポリエチレン、ポリウレタン、フェノール樹脂等を用いて形成することができる。
【００５４】
図５Ｂに示すように、第２実施形態に係るレンズフード３２におけるジョイント３６は、表面部２０からなる。表面部２０は、筒状部３８の断熱層４２に対して、接着等によって固定されている。表面部２０は、第１実施形態に係る表面部２０と同様に、レンズ鏡筒１０（図１）に係合可能な突起等を有している。また、表面部２０は、金属や硬度の高い樹脂等も用いて形成されることが好ましい。
【００５５】
本実施形態に係るレンズフード３２は、特に筒状部３８に備えられる反射層１４と断熱層４２によって、レンズフード３２からレンズ鏡筒１０に熱が伝達する現象が抑制される。すなわち、レンズフード３２の外周面には、反射層１４が形成されており、反射層１４によってレンズフード３２に照射される赤外線を反射するため、筒状部３８の基材部２４等の温度上昇が抑制される。
【００５６】
また、断熱層４６は、基材部２４または反射層１４より高い断熱性を有しているため、日射等によって反射層１４および基材部２４の温度が上昇した場合であっても、基材部２４等の熱が、ジョイント３６を経由してレンズ鏡筒１０に伝わることを防止できる。したがって、本実施形態に係るレンズフード３２は、レンズフード３２から伝達された熱によって、レンズ鏡筒１０の外装および内蔵部品の温度が過度に上昇する現象を、効果的に防止することができる。
【００５７】
図５Ｃは、第２実施形態の変形例に係るレンズフードにおける筒状部３８ａの表面付近を表す拡大図である。筒状部３８ａは、基材部２４の内周面側ではなく外周面側に断熱層４６が形成されており、さらに断熱層４６の外周面側に反射層１４が形成されている他は、図５Ｂに示す筒状部３８と同様である。
【００５８】
筒状部３８ａは、例えば基材部４４の外周表面に、中空粒子４３を含む塗料を塗布して断熱層４５を形成した後、赤外線の反射率が高い顔料１５を含む塗料を断熱層４６の表面に塗布して反射層１４を形成することによって、製造することができる。
【００５９】
筒状部３８ａにおける断熱層４６は、反射層１４より高い断熱性を有しているため、赤外線を含む光の照射によって反射層１４の温度が上昇した場合であっても、基材部２４等の熱が、ジョイント３６を経由してレンズ鏡筒１０に伝わることを防止できる。したがって、筒状部３８ａを有する第２実施形態の変形例に係るレンズフードも、図５Ｂに示す第２実施形態に係るレンズフード３２と同様の効果を有する。
【００６０】
第３実施形態
図４Ａは、本発明の第３実施形態に係るレンズフード６２の外観図である。第３実施形態に係るレンズフード６２は、第１実施形態に係るレンズフード１２と同様に、筒状部６８とジョイント１６とを有する。レンズフード６２は、鏡筒部６８の外周表面に、反射層１４と保護層７０が形成されていることを除き、第１実施形態に係るレンズフード１２と同様である。
【００６１】
図４Ｂは、図４Ａに示すレンズフード６２のレンズフード中心軸αを通る断面による部分断面図である。レンズ図４Ａおよび図４Ｂに示すように、筒状部６８は、基材部２４と反射層１４と保護層７０とを有する。反射層１４は、基材部２４の外周表面であって、レンズフード６２の中心軸α方向中央部分から射出側端部６２ｂまでの部分に備えられている。それに対して、保護層７０は、レンズフード６２の中心軸α方向中央部分から入射側端部６２ａまでの部分に備えられている。
【００６２】
保護層７０は、図１０に示す低反射層１３のように、可視光の平均反射率が略同等である反射層１４−１より、赤外線の平均反射率が低い層である。保護層７０は、基材部２４の表面を保護する機能を有する。保護層７０は、例えば図５Ａ等に示す顔料１５を含まない塗料を、基材部２４の表面に塗布することによって形成される。なお、レンズフード６２において、保護層７０は、反射層１４と略同じ色に見える塗膜によって構成されていてもよい。
【００６３】
第３実施形態に係るレンズフード６２は、レンズフード６２における射出側端部６２ｂに近接する領域に反射層１４を備えるため、射出側端部６２ｂ付近において、赤外線の照射による温度上昇が抑制される。図４Ａに示すように、射出側端部６２ｂ付近には、ジョイント１６が配置されており、レンズフード６２は、ジョイント１６を介してレンズ鏡筒１０に接続される。したがって、第３実施形態に係るレンズフード６２は、筒状部６８のうち、特にジョイント１６近傍部分の温度上昇を抑制することにより、筒状部６８からジョイント１６を介してレンズ鏡筒１０に熱が伝わることを防止できる。
【００６４】
また、レンズフード６２に備えられるジョイント１６は、第１実施形態に係るレンズフード１２に備えられるジョイント１６（図２Ｂ等参照）と同様に、断熱性の高い中継部２２を有している。したがって、第３実施形態に係るレンズフード６２は、筒状部１８の熱が、ジョイント１６を経由してレンズ鏡筒１０に伝わることを防止できる。
【００６５】
その他の実施形態
図４Ａに示すレンズフード６２において、反射層１４は、射出側端部６２ａに近接する部分に配置されているが、反射層１４の配置はこれに限定されず、例えば入射側端部６２ａに近接する部分に配置されてもよい。この場合、レンズフードにおける入射側端部６２ａ付近において、赤外線の照射による温度上昇が抑制される。レンズフードにおける入射側端部６２ａは、レンズ鏡筒１０（図１）を操作する撮影者が、レンズ鏡筒１０の向きを変える際などに、直接手で触れる場合がある。したがって、入射側端部６２ａに近接する部分に反射層１４が配置されるレンズフードは、撮影者がレンズフードを触ったときに感じる熱による不快感を抑制することができる。
【００６６】
上述の実施形態において、レンズフードの色は特に限定されないが、可視光の反射率が低い黒色もしくは明度の低い色とすることが好ましい。これにより、レンズフードにおいて反射された光が、撮影者の意図に反してレンズ鏡筒１０内に入射することを防止できる。
【符号の説明】
【００６７】
１０…  レンズ鏡筒
１２，３２,６２…  レンズフード
１２ａ，３２ａ，６２ａ…  入射側端部
１２ｂ，３２ｂ，６２ｂ…  射出側端部
１３…  低反射層
１４，１４−１〜１４−４…  反射層
１５…  顔料
１６，３６…  ジョイント
１８，３８，６８…  筒状部
２２…  中継部
２４…  基材部
４２…  断熱層
５０…  光通過領域
【図１】
2010160416.tif 000004
【図２Ａ】
2010160416.tif 000005
【図２Ｂ】
2010160416.tif 000006
【図２Ｃ】
2010160416.tif 000007
【図３Ａ】
2010160416.tif 000008
【図３Ｂ】
2010160416.tif 000009
【図４Ａ】
2010160416.tif 000010
【図４Ｂ】
2010160416.tif 000011
【図５Ａ】
2010160416.tif 000012
【図５Ｂ】
2010160416.tif 000013
【図５Ｃ】
2010160416.tif 000014
【図６】
2010160416.tif 000015